(57)【要約】【課題】  従来の駆除薬剤処理を施した袋状の集塵フィルターでは、塵埃中のダニ等の有害微生物が繁殖するのを防止する効果はあるが、ダニ類は、例えば、ヒョウヒダニは死んだ後の死骸や糞が、それに含まれるダニアレルゲンとして人体に有害である。そこで、繁殖を抑え、死に至らしめてもまだ有害性が残るという課題がある。【解決手段】  本発明の電気掃除機用の袋状の集塵フィルターは、通気性の内層袋１４ｂと、通気性の外層袋１４ｃとを有し、この内層袋１４ｂの孔の大きさはほとんどのアレルゲンを通過させる大きさであり、また、外層袋１４ｃの孔の大きさは、ほとんどのアレルゲンを捕集する大きさとし、さらに、内層袋１４ｂには、抗アレルゲン剤が付与されたものである。【選択図】図１
2006034855.tif 000002
【特許請求の範囲】
【請求項１】
通気性の内層袋と、通気性の外層袋とを有し、
前記内層袋の孔の大きさはほとんどのアレルゲンを通過させる大きさであり、また、前記外層袋の孔の大きさは、ほとんどのアレルゲンを捕集する大きさとし、
前記内層袋には、抗アレルゲン剤が付与されたことを特徴とする電気掃除機用の袋状の集塵フィルター。
【請求項２】
前記内層袋が、それぞれ、間隔をあけた二層以上からなることを特徴とする請求項１に記載の電気掃除機用の袋状の集塵フィルター。
【請求項３】
通気性で、一層または二層以上の内層袋と、通気性の外層袋とを有し、
前記内層袋及び前記外層袋は、側面側から見た断面形状が上部が下部より大きな台形形状であり、また、上面の面積が底面の面積より大きいことを特徴とする電気掃除機用の袋状の集塵フィルター。
【請求項４】
前記内層袋の孔の大きさはほとんどのアレルゲンを通過させる大きさであり、また、前記外層袋の孔の大きさは、ほとんどのアレルゲンを捕集する大きさとし、
前記内層袋には、抗アレルゲン剤が付与されたことを特徴とする請求項３に記載の電気掃除機用の袋状の集塵フィルター。
【請求項５】
前記外層袋にも抗アレルゲン剤が付与されるか、または、前記内層袋には抗アレルゲン剤が付与されず、前記外層袋にのみ抗アレルゲン剤が付与されたことを特徴とする請求項１、請求項２又は請求項４に記載の電気掃除機用の袋状の集塵フィルター。
【請求項６】
前記内層袋が二層以上で、これらの内層袋に抗アレルゲン剤が付与される場合、前記内層袋には、それぞれ違う種類のアレルゲンに対応した抗アレルゲン剤が付与され、また、前記内層袋と前記外層袋に抗アレルゲン剤が付与される場合、それぞれ違う種類のアレルゲンに対応した抗アレルゲン剤が付与されたことを特徴とする請求項２、請求項４又は請求項５に記載の電気掃除機用の袋状の集塵フィルター。
【請求項７】
前記内層袋及び／又は外層袋に、抗アレルゲン剤の他に、抗菌剤及び／又は消臭剤が付与されたことを特徴とする請求項１、請求項２、請求項４、請求項５又は請求項６に記載の電気掃除機用の袋状の集塵フィルター。
【請求項８】
前記内層袋及び前記外層袋のうち、抗アレルゲン剤を付与した袋をプラスに帯電させたことを特徴とする請求項１、請求項２又は請求項４から請求項７のいずれかの請求項に記載の電気掃除機用の袋状の集塵フィルター。
【請求項９】
前記内層袋及び前記外層袋は、その入口側を、前部の台紙の中央部の開口である吸込口の周りに貼り付け、さらに、この貼付け部の先端部を前記内層袋内に延伸させ、形成されたことを特徴とする請求項１、請求項２又は請求項４から請求項８のいずれかの請求項に記載の電気掃除機用の袋状の集塵フィルター。
【請求項１０】
請求項１から請求項９のいずれかの請求項に記載の袋状の集塵フィルターを集塵室に収容し、通気口を有する隔壁で区画した電動送風機室に電動送風機を収容し、この電動送風機を運転し、前記袋状の集塵フィルターに塵埃を集塵し、排気を排気口から排気することを特徴とする電気掃除機。
【請求項１１】
請求項１から請求項９のいずれかの請求項に記載の袋状の集塵フィルターを集塵室に収容し、通気口を有する隔壁で区画した電動送風機室に電動送風機を収容し、また、前記電動送風機室の後部の排気風路に排気口を有し、
前記隔壁の通気口の前部のプレフィルター及び／又は前記排気口の前部の排気フィルターに抗アレルゲン剤を付与したことを特徴とする電気掃除機。
【発明の詳細な説明】
【技術分野】
【０００１】
本発明は、袋状の集塵フィルターの改良及びこの改良した集塵フィルターを有する電気掃除機に関するものである。
【背景技術】
【０００２】
従来の電気掃除機には、ダニ等の有害微生物を捕集、短時間に死に至らしめる微生物などの駆除薬剤処理を施した使い捨ての袋状の集塵フィルターを装着したものがある（例えば、特許文献１参照）。
また、この使い捨ての袋状の集塵フィルター（電気掃除機用紙袋）として、内側の袋と外側の袋との二重構造としたものがある（例えば、特許文献２参照）。
【特許文献１】特公平８−１００号公報（第２頁〜第３頁、図１〜図５）
【特許文献２】特公平５−４６８１３号公報（第１頁〜第２頁、図１）
【発明の開示】
【発明が解決しようとする課題】
【０００３】
しかしながら、上記のような従来の駆除薬剤処理を施した袋状の集塵フィルターでは、塵埃中のダニ等の有害微生物が繁殖するのを防止する効果はあるが、ダニ類は、例えば、ヒョウヒダニは死んだ後の死骸や糞が、それに含まれるダニアレルゲン（システインプロテアーゼという酵素）として人体に有害であり、喘息やアトピー性皮膚炎等の原因となる。そこで、繁殖を抑え、死に至らしめてもまだ有害性が残るという課題がある。
また、従来の二重構造の袋状の集塵フィルターは、塵埃の捕集効率を向上することを目的とするもので、特に有害微生物の除去、ダニアレルゲン対策と関連付けるものではない。
【０００４】
本発明は、上記のような課題を解消するためになされたもので、有効なアレルゲン対策を施した電気掃除機用の袋状の集塵フィルターを提供することを目的とする。
また、アレルゲン対策が効率よく可能となる電気掃除機用の袋状の集塵フィルターを提供することを目的とする。
また、これらの袋状の塵袋フィルターを有し、アレルゲン対策を施した電気掃除機を提供することを目的とする。
【課題を解決するための手段】
【０００５】
本発明の電気掃除機用の袋状の集塵フィルターは、通気性の内層袋と、通気性の外層袋とを有し、この内層袋の孔の大きさはほとんどのアレルゲンを通過させる大きさであり、また、外層袋の孔の大きさは、ほとんどのアレルゲンを捕集する大きさとし、さらに、内層袋には、抗アレルゲン剤が付与されたものである。
【発明の効果】
【０００６】
本発明の電気掃除機用の袋状の集塵フィルターにおいては、塵埃は、主として大きい孔の内層紙に捕らえられ、大きさの小さなアレルゲンは、内層紙を通過するが、その際、内層紙と接触し、内層紙に付与された抗アレルゲン剤によって不活性化され、孔の大きさが小さい外層紙に捕らえられる。また、不活性化されずに内層紙を通過したアレルゲンは、内層紙と外層紙との間に塵埃から分離されてたまり、この剥き出しになったアレルゲンが、内層紙の外側と接触しやすくなり、内層紙の抗アレルゲン剤により不活性化され、不活性化が促進される。
【発明を実施するための最良の形態】
【０００７】
実施の形態１．
図１は、本発明の実施の形態１の電気掃除機の電気掃除機本体を示す断面図であり、図２は、図１の電気掃除機本体の袋状の集塵フィルターである集塵袋の断面図である。
これらの図において、本電気掃除機本体１は、可撓性のホースが接続される前部の吸引口側の集塵室２、通気口を備えた隔壁６によって集塵室２と仕切られた後ろ側の電動送風機室３及び電動送風機室３の後ろ側の排気風路５等に区画される。
集塵室２内には、前部の吸引口に吸込口１３を介して連通する集塵袋１４が着脱可能に収容され、隔壁６の集塵室１４側で、通気口の前部にはプレフィルター１８が設けられ、また、電動送風機室３内には、負圧を発生させ、塵埃を吸引する電動送風機１９が収容され、この電動送風機１９の排気は、後部の排気風路５を通り、排気口２１から排気される。また、排気口２１の前部には、排気フィルター２２が設置されている。
【０００８】
このような電気掃除機は、電動送風機室３を動作させ負圧を発生させ、電気掃除機本体１の前部の吸引口に接続された可撓性のホースの先端に接続された吸込口から塵埃を吸引し、吸込口１３を経て集塵袋１４で、吸込み空気から塵埃が分離され、吸込み空気は、プレフィルター１８、通気口を通り、電動送風機室３を経て、排気風路５の排気フィルター２２を通り、排気口２１から外部に排出される。
【０００９】
次に、本電気掃除機本体１内の集塵室２に収容される集塵袋１４について説明する。
集塵袋１４は、中央部に吸込口１３を開口した台紙１４ａの開口部の周りに、内層の内層袋１４ｂと外層の外層紙１４ｃとの二層構造の袋の入口側を貼り付ける。また、内層袋１４ｂと外層紙１４ｃは、いずれも通気性ある紙、または合成繊維から製紙したもの（通常、電気掃除機の集塵袋に使用されるものでよい）であるが、通気性を生じる孔の大きさは、外層紙１４ｃの方が内層袋１４ｂより小さくする。即ち、外層紙１４ｃは、ダニアレルゲンとなる例えば大きさ０．２〜０．５ｍｍのヒョウヒダニ及び細かな塵埃を収集できるように孔の大きさを０．１ｍｍ以下とし、内層袋１４ｂは、主として塵埃を収集し、ダニアレルゲンを通過させることができるように孔の大きさをこれより大きくする。
【００１０】
また、内層袋１４ｂには、アレルゲン不活性化剤と吸湿性組成物とを含有する抗アレルゲン剤である抗アレルゲン組成物を付与する。
アレルゲン不活性化剤は、タンニン酸、エピカテキン等のポリフェノール類、２、５−ジヒドロキシ安息香酸等のヒドロキシ安息香酸化合物又はその塩、または茶抽出物、柿渋等である。
これらのアレルゲン不活性化剤の不活性化反応には、水分が必要であり、この水分を供給するための吸湿性組成物としては、マグネシウム又はカルシウムの塩化物又は硫酸塩等のアルカリ土類金属塩を用いる。
これらの所定量の混合物である抗アレルゲン組成物に水を加えた液状物を内層袋１４ｂに塗布等し、乾燥させ付着させる。この際、付着を良好にするために水溶性の樹脂を加えてもよい。
【００１１】
このようにして作成した集塵袋１４を電気掃除機本体１の集塵室２に取り付けることにより、一旦内層袋１４ｂに捕らえられたアレルゲンは、孔の大きな内層袋１４ｂを通過する際に、抗アレルゲン組成物によって不活性化される。そこで、本集塵袋１４使用の電気掃除機は、排気にアレルゲンを含まなくできる。
図３は、アレルゲン不活性化を説明する模式図である。塵埃は、主として内層袋１４ｂに捕らえられ、大きさの小さなアレルゲンは、内層袋１４ｂを通過するが、その際、内層袋１４ｂと接触し、内層袋１４ｂに付与された抗アレルゲン組成物によって不活性化され、孔の大きさが小さい外層紙１４ｃに捕らえられる。また、不活性化されずに内層袋１４ｂを通過したアレルゲンは、内層袋１４ｂと外層紙１４ｃとの間に塵埃から分離されてたまり、剥き出しになったアレルゲンが、内層袋１４ｂの外側と接触しやすくなり、内層袋１４ｂの抗アレルゲン組成物によって不活性化されるので、不活性化を促進する。
【００１２】
抗アレルゲン組成物の付与は、内層袋１４ｂに加えて、外層紙１４ｃにも付与すれば、一層不活性化の効果が増加する。
また、内層袋１４ｂの代わりに外層紙１４ｃに抗アレルゲン組成物を付与しても不活性化の効果は得られる。
また、図４に示すように、上記の抗アレルゲン組成物を付与する内層袋１４ｂ及び／又は外層紙１４ｃを形成する繊維にカチオン化した繊維を使用することにより、マイナス極性を持つアレルゲン（カルボキシル基−ＣＯＯＨを持つアレルゲン）を吸着しやすくし、即ち、内層袋１４ｂをアレルゲンと反対に帯電させ、アレルゲンを吸着しやすくし、不活性化効果を増すことができる。
さらに、内層袋１４ｂを立体構造をもつ不織布とすることにより、通過時の接触面積が増加し、不活性効果が増加する。
【００１３】
上記の集塵袋１４では、内層袋１４ｂを一層としているが、内層袋１４ｂを二層以上とし、それぞれを通過する際に不活性化され、一層不活性化効果が増加する。
また、二層以上の内層袋１４ｂに付与する抗アレルゲン剤を各層毎に種類を変え、例えば、ダニ抗アレルゲン剤、花粉抗アレルゲン剤等とすることにより、種類の相違するアレルゲンにも有効となる。一例としては、一層目には、ダニアレルゲン用の上記の抗アレルゲン組成物を付与し、二層目には、花粉アレルゲン用のスルホン酸変性ポリビニルアルコール共重合体の水分散体を塗布、乾燥する。
また、これらの抗アレルゲン剤を外層袋１４ｃに付与してもよい。即ち、外層袋１４ｃ及び内層袋１４ｂの両方に付与してもよく、または、外層袋１４ｃにのみ付与してもよい。
さらに、二層以上の内層袋１４ｂに、それぞれ、消臭剤、抗菌剤及び抗アレルゲン剤等を付与してもよく、消臭、殺菌及びアレルゲンの不活性化が合わせて達成できる。消臭、殺菌及びアレルゲンンの不活性化等を合わせて達成するためには、一層に複数の機能を持つ薬剤を付与すれば、集塵袋１４の層数を減少できる。例えば、アクリル繊維に多孔質構造を持つアルミノ珪酸亜鉛を練り込むことで、消臭機能を設け、亜鉛等の抗菌性金属を練り込み、抗菌性金属の一部を金属イオンに解離することで、微生物のエネルギー代謝を不能にしたり、アルミノ珪酸亜鉛中の酸素を触媒作用により活性化酸素に転換し、抗菌作用を及ぼすようにした高機能アクリル繊維に、後加工で抗アレルゲン剤を塗布する等を利用する。
【００１４】
実施の形態２．
本実施の形態の電気掃除機は、集塵袋１４の形状が異なる他は、実施の形態１の電気掃除機と同様である。そこで、以下、主として、相違点を説明する。
図５は、本実施の形態の電気掃除機の集塵袋１４の半分折りたたんだ状態を示す断面図であり、図６は、図５の集塵袋１４を広げた側面側から見た断面図である。
これらの図（内層袋１４ｂと外層紙１４ｃとの二層構造を示すが、内層袋１４ｂを増やし、三層以上の多層構造も同様である）に示すように、実施の形態１の集塵袋１４が、横から見た断面形状が、ほぼ矩形であるのに対して、本集塵袋１４は、同じく側面側から見た断面形状が、折りたたんだ状態で、上部（集塵室２に取り付けたとき、上方となる）の折りたたみの山から谷間の距離Ａが下部（集塵室２に取り付けたとき、下方となる）の同じく距離Ｂより大きくする。そこで、集塵室２に取り付けた、即ち、広げた状態では、断面は上辺が下辺より大きい、後ろ側の辺が斜めとなる台形となり、集塵袋１４の上面の面積が下面の面積より大きくなる。
【００１５】
また、図６に示すように、塵埃は内層袋１４ｂの下部側にたまり、面積の大きな上面側が開放され、上面の通気性がよくなる。そこで、塵埃中のアレルゲンは、上面に抜け出して行きやすく、内層袋１４ｂに接触しやすくなり、不活性化剤による不活性化の効率が向上する。
また、集塵袋１４を収納する集塵室２を上部ほど広くすることにより、集塵袋１４は広がりやすく、また、上に取り出すときも取り出しやすい。さらに、電気掃除機本体１の上部の蓋との隙間も大きくなり、後部との通気性にも有利である。
その他、抗アレルゲン剤、消臭剤、抗菌剤等は、実施の形態１と同様である。
なお、本形状の集塵袋１４は、抗アレルゲン剤等を付与しなくても、塵埃を集塵する集塵効率の良好な集塵袋として有効である。
【００１６】
実施の形態３．
実施の形態３の電気掃除機では、集塵袋１４の入口側を、図７に示すように、台紙１４ａの吸込口１３の周りに貼付け、さらに、この貼付け部の先端部を集塵袋１４の内部（内層袋１４ｂの内部）に延伸させ、延伸部１４ｄを設ける。なお、図７の集塵袋１４は、内層紙１４ａと外層紙１４ｃとの二層構造の例で示すが、内層袋１４ｂは二層以上でもよく、また、袋形成部は、内層袋１４ｂ間及び内層袋１４ｂと外層紙１４ｃ間には間隔を設ける（図７では間隔の記載を省略）。但し、延伸部１４ｄは間隔を設けなくてもよい。
その他の構造は、実施の形態１又は２と抗アレルゲン剤、消臭剤、抗菌剤等も含めて同様である。
【００１７】
この集塵袋１４によると、塵埃中に絡んで内層紙４ｂの表面に移動できないアレルゲンは、延伸部と接触する可能性があり、アレルゲン不活性化の効率が向上する。
【００１８】
実施の形態４．
本実施の形態の電気掃除機は、実施の形態１、２又は３の抗アレルゲン加工をした集塵袋１４に加えて、図１に示す電気掃除機本体１のプレフィルター１８又は／及び排気フィルター２２に集塵袋１４と同様の抗アレルゲン加工をした内層袋１４ｂと外層紙１４ｃとの二層又は三層以上の多層構造のフィルターを用いたものである。但し、フィルターの機械的安定性のため、層間に間隔は設けない。
このような電気掃除機は、例えば、ダニの死骸が乾燥し、砕けて、細かくなり集塵袋１４を通り抜けたアレルゲンがプレフィルター１８又は／及び排気フィルター２２により吸着され、不活性化されるので、排気に含まれるアレルゲンはほぼ完全に防止できる。
上記の実施の形態１から実施の形態４の電気掃除機の抗アレルゲン処理の集塵袋１４の台紙を変形加工可能とし、即ち、台紙の長さ調節を設けることで、共通の集塵袋１４で複数のモデルの電気掃除機に適用できるようにした。
このような集塵袋１４を使用すれば、既に使用中の抗アレルゲン対応でない集塵袋式電気掃除機を抗アレルゲン対応とすることができる。
また、上記の実施の形態１から実施の形態４の電気掃除機の集塵袋１４は、複数の内層袋１４ｂにそれぞれ異なるアレルゲンに対応する抗アレルゲン剤を付与する他に、内層袋１４ｂと外層袋１４ｃにそれぞれ異なるアレルゲンに対応する抗アレルゲン剤を付与する、また、抗アレルゲン剤の他に、抗菌剤及び／又は消臭剤等を内層袋１４ｂ及び／又は外層袋１４ｃに付与する等広く変形例が可能である。
【図面の簡単な説明】
【００１９】
【図１】本発明の実施の形態１の電気掃除機の電気掃除機本体を示す断面図である。
【図２】図１の電気掃除機本体の袋状の集塵フィルターである集塵袋を示す断面図である。
【図３】図２の集塵袋によるアレルゲン不活性化を説明する模式図である。
【図４】図２の集塵袋の内層紙及び／又は外層紙を形成する繊維にカチオン化した繊維を使用する場合のマイナス帯電アレルゲンの吸着を説明する模式図である。
【図５】本発明の実施の形態２の電気掃除機本体の集塵袋の半分折りたたんだ状態を示す断面図である。
【図６】図５の集塵袋１４を広げた断面図である。
【図７】本発明の実施の形態３の電気掃除機本体の集塵袋を示す断面図である。
【符号の説明】
【００２０】
２  集塵室、３  電動送風機室、６  隔壁、１３  吸込口、１４  袋状の集塵フィルター、１４ａ  台紙、１４ｂ  内層紙、１４ｃ  外層紙、１４ｄ  延伸部、１８  プレフィルター、１９  電動送風機、２１  排気口、２２  排気フィルター。
【図１】
2006034855.tif 000003
【図２】
2006034855.tif 000004
【図３】
2006034855.tif 000005
【図４】
2006034855.tif 000006
【図５】
2006034855.tif 000007
【図６】
2006034855.tif 000008
【図７】
2006034855.tif 000009